(57)【要約】【課題】  通常用地折衝や空間的制限、美観を損ねるといった理由で設置することが難しい支線を、容易かつ安全に低コストで設置することを可能にする上部支線共用方法、上部支線共用金具、および上部支線張力調整具を提供する。【解決手段】  電柱１に架設されている複数のケーブル２Ａ〜２Ｃ類を引き留める際に、ケーブル２Ａ〜２Ｃ類と同本数必要な上部支線について、各ケーブル２Ａ〜２Ｃ類による張力を集中してこれらの上部支線２Ａ〜２Ｃを１本にまとめる。また、上部支線を共用する際の電柱１への不平衡荷重を、各上部支線による張力方向を同じにすることよって分散する。【選択図】  図１
2005341687.tif 000002
【特許請求の範囲】
【請求項１】
電柱（１）に架設されている複数のケーブル（２Ａ〜２Ｃ）類を引き留める際に、前記ケーブル（２Ａ〜２Ｃ）類と同本数必要な上部支線について、前記各ケーブル（２Ａ〜２Ｃ）類による張力を集中してこれらの上部支線（２Ａ〜２Ｃ）を１本にまとめることを特徴とする上部支線共用方法。
【請求項２】
前記上部支線を共用する際の前記電柱（１）への不平衡荷重を、前記各上部支線による張力方向を同じにすることよって分散することを特徴とする請求項１に記載の上部支線共用方法。
【請求項３】
前記電柱（１）に追加したケーブル類の各引き留め位置と、前記１本の上部支線（３Ａ）との間に、伸縮可能な上部支線共用金具を設けて、この上部支線（３Ａ）を上部共用にすることを特徴とする請求項１または２に記載の上部支線共用方法。
【請求項４】
前記１本の上部支線（３Ａ）に、伸縮可能な上部支線張力調整具を取り付けて、この上部支線（３Ａ）の張力を調整することを特徴とする請求項３に記載の上部支線共用方法。
【請求項５】
請求項３または４に記載の上部支線共用金具であって、
上部支線（３Ａ）側に固定される固定手段（１１）と、
追加したケーブル類の引き留め位置側に取り付けられる接続手段（１３）と、
前記固定手段（１１）と前記接続手段（１３）との間隔を調整する調整手段（１２）と、
を有することを特徴とする上部支線共用金具。
【請求項６】
請求項５に記載の上部支線張力調整具であって、
前記上部支線（３Ａ）に固定される第１の固定手段（１１）と、
前記上部支線（３Ａ）に固定され、かつ、前記第１の固定手段（１１）の固定位置とは別の位置に固定される第２の固定手段（１３）と、
前記第１の固定手段（１１）と前記第２の固定手段（１３）との間隔を調整する調整手段（１２）と、
を有することを特徴とする上部支線張力調整具。
【発明の詳細な説明】
【技術分野】
【０００１】
本発明は、電線・支線・ケーブル類等から構成される架空構造物の線路土木分野に利用される上部支線共用方法、上部支線共用金具、および上部支線張力調整具に関する。
【背景技術】
【０００２】
電柱にケーブル類を引留める際に、支線が必要となる。図１６に示すように、電柱１００にケーブル１１１類を引き留める際に生じる、ケーブル１１１類の張力による電柱１００への負荷を、支線１２１に分担させることにより、安全な設備の構成を可能とするものである（特許文献１、非特許文献１）。なお、図１６では、アンカー１３１が支線１２１を地面に繋ぎ止める。
【０００３】
ところで、電柱１００にケーブルを追加する場合、電柱１００に引き留めるケーブルの条数と同数の支線が必要となる。こうした形態としては、図１７に示す通り、支線１２１に対して、追加したケーブル１１２用の上部支線１２２Ａおよび下部支線１２２Ｂを共に追加する場合と、図１８に示すように、上部支線１２３のみを追加し、下部支線は共用する場合とがある。なお、図１７では、上部支線１２２Ａと下部支線とが支線１２２を形成する。
【特許文献１】実開平６−１２５３９号公報
【非特許文献１】「支線アンカー  チコーアンカー８０型」  日本地工株式会社の発行カタログ
【発明の開示】
【発明が解決しようとする課題】
【０００４】
ところで、支線を追加する形態の場合、電柱に引き留めるケーブルの条数と同数の支線およびアンカーが必要となり、支線の追加やアンカーの埋設等による、ケーブル追加の作業が煩雑になる。下部支線を共用する形態の場合、図１９に示す通り、新たに上部支線１２３を追加することにより、既存の支線１２１がゆるんでしまうなど、張力Ｆ１０１の調整が非常に難しい。上部支線が増えるほど、その調整は困難となる。また、支線の追加、交換には、ケーブルの大きな張力を支線に分担させているため、極めて慎重でかつ危険な作業が要求される。
【０００５】
また、上部支線に用いているワイヤーから歩行者などの人体を守るために、支線には支線ガードが取り付けられている。このため、上部支線が複数条になると美観を損ねるといった理由で、付近住民からの苦情が発生することもある。こうした理由により、本来、支線をとるべきと考えられる設備に対して、支線をとることができず、不安全な設備を構築してしまう危険性がある。
【０００６】
本発明は、前記の課題を解決し、通常用地折衝や空間的制限、美観を損ねるといった理由で設置することが難しい支線を、容易かつ安全に低コストで設置することを可能にする上部支線共用方法、上部支線共用金具、および上部支線張力調整具を提供することを目的とする。
【課題を解決するための手段】
【０００７】
前記課題を解決するために、請求項１の発明は、電柱に架設されている複数のケーブル類を引き留める際に、前記ケーブル類と同本数必要な上部支線について、前記各ケーブル類による張力を集中してこれらの上部支線を１本にまとめることを特徴とする上部支線共用方法である。
請求項２の発明は、請求項１に記載の上部支線共用方法において、前記上部支線を共用する際の前記電柱への不平衡荷重を、前記各上部支線による張力方向を同じにすることよって分散することを特徴とする。
請求項３の発明は、請求項１または２に記載の上部支線共用方法において、前記電柱に追加したケーブル類の各引き留め位置と、前記１本の上部支線との間に、伸縮可能な上部支線共用金具を設けて、この上部支線を上部共用にすることを特徴とする。
請求項４の発明は、請求項３に記載の上部支線共用方法において、前記１本の上部支線に、伸縮可能な上部支線張力調整具を取り付けて、この上部支線の張力を調整することを特徴とする。
請求項５の発明は、請求項３または４に記載の上部支線共用金具であって、上部支線側に固定される固定手段と、追加したケーブル類の引き留め位置側に取り付けられる接続手段と、前記固定手段と前記接続手段との間隔を調整する調整手段とを有することを特徴とする上部支線共用金具である。
請求項６の発明は、請求項５に記載の上部支線張力調整具であって、前記上部支線に固定される第１の固定手段と、前記上部支線に固定され、かつ、前記第１の固定手段の固定位置とは別の位置に固定される第２の固定手段と、前記第１の固定手段と前記第２の固定手段との間隔を調整する調整手段とを有することを特徴とする上部支線張力調整具である。
【発明の効果】
【０００８】
本発明によれば、電柱に引き留められるケーブルが追加された際に必要な支線の追加を、容易にかつ安全に実施することがでる。つまり、経済性と美観の維持とを兼ね備えた設備構築を実現することを可能にする。
【発明を実施するための最良の形態】
【０００９】
つぎに、本発明を実施するための最良の形態について、図を用いて説明する。
［実施形態１］
図１は、本発明による上部支線共用方法を説明するための説明図である。通常、設備を新設する際には、地面に立てられた電柱１にケーブル２Ａを引き留める。この場合、ケーブル２Ａが引き留められた電柱１に対して、支線３を１つ設置する。このとき、ケーブル２Ａの引留め位置Ａに支線３の一端を取り付け、支線３の他端を、アンカー４によって地面に繋ぎ止める。支線３は、電柱１にケーブル２Ａを引留める際に生じる、ケーブル２Ａの張力による電柱１への負荷を分担する。
【００１０】
この後、さらに、ケーブルを追加する場合、電柱１にケーブル２Ｂを引き留める。このとき、ケーブル２Ｂの引留め位置Ｂと支線３の上部支線３Ａとの間に、伸縮可能な棒状の上部支線共用金具１０を上部支線の代わりとして取り付ける。この結果、ケーブル２Ｂの張力による電柱１への負荷を分担する。つまり、電柱１に架設されている複数のケーブル２Ａ、２Ｂを引き留める際に、ケーブル２Ａ、２Ｂによる張力を上部支線３Ａに集中して、ケーブル２Ａ、２Ｂに対して同本数必要な上部支線を１本にまとめている。
【００１１】
上部支線共用金具１０の取り付けの際に、図２に示すように、電柱１と上部支線共用金具１０との角度θ１が鈍角となるようにする。これにより、上部支線３Ａの張力Ｆ１の方向が上部支線共用金具１０に加わる力Ｆ２の方向と同じになり、ケーブル２Ｂにより電柱１に加わる負荷を支線３に分散することができる。なお、図１の１Ａ、１Ｂは、引留め位置Ａ、Ｂに取り付けられた、ケーブル２Ａ、２Ｂを電柱１に固定するためのバンドである。
【００１２】
図２の状態に対して、図３に示すように、電柱１と上部支線共用金具１０との角度θ１が鋭角となるようにすると、上部支線共用金具１０に加わる力Ｆ３が上部支線３Ａの張力方向からずれてしまう。このため、支線として機能する十分な大きさの力を掛けることができず、かつ、負荷を分散することができない。
【００１３】
こうして、ケーブル２Ｂを追加する場合に、伸縮自在な上部支線共用金具１０を用いて、支線３の上部共用とする施工により、電柱１に加わる負荷を分散することができる。また、上部共用の施工時には、図４に示すように、追加するケーブル２Ｂ〜２Ｃの数分だけ、アタッチメントである上部支線共用金具１０を既存設備に追加し、さらに、図５に示すように、各上部支線共用金具１０と電柱１との角度θ１、θ２が鈍角となるようにすることにより、容易で安全な設備の構築が可能である。なお、図５では、１Ａ〜１Ｃがケーブル２Ａ〜２Ｃ用のバンドである。
【００１４】
［実施形態２］
図６は、本発明による上部支線共用金具を示す正面図である。この上部支線共用金具は、実施形態１に用いられている上部支線共用金具１０である。図６の上部支線共用金具は、固定手段として固定部１１と、調整手段としてねじ調整部１２と、接続手段としてボルトフック部１３とを備えている。
【００１５】
固定部１１は、図７に示すように、上部支線３Ａを挟んで固定するものであり、直方体形状の台座部分１１Ａ上に円筒形状の固定台１１Ｂが形成されている。固定台１１Ｂの側面には、押さえねじ１１Ｃとナット１１Ｄとによって押さえ曲板１１Ｅが固定台１１Ｂに対して移動可能に設けられている。押さえねじ１１Ｃは、固定台１１Ｂを貫通している。この構造の固定部１１によれば、上部支線３Ａを固定台１１Ｂと押さえ曲板１１Ｅとの間に挟み、ナット１１Ｄで押さえ曲板１１Ｅを固定台１１Ｂの方に移動して、上部支線３Ａを固定部１１に固定する。
【００１６】
前記の構造に加えて、固定部１１の台座部分１１Ａの側面には、ねじ１１Ｆが取り付けられ、ねじ１１Ｆは固定部１１に固定されている。
【００１７】
ねじ調整部１２は、直方体形状をしたものであり、ねじ１１Ｆが設けられている固定部１１の側面と向かい合う、ねじ調整部１２の側面には、ねじ穴１２Ａが開けられている。ねじ穴１２Ａには、ねじ１１Ｆ用のねじが設けられ、ねじ穴１２Ａには、ねじ１１Ｆが挿入可能である。この構造に加えて、ねじ調整部１２の内部にはフック取り付け穴１２Ｂが設けられ、ねじ穴１２Ａの底部分と向かい合う、ねじ調整部１２の側面にはフック取り付け溝１２Ｃが設けられている。フック取り付け穴１２Ｂは円形状であり、フック取り付け溝１２Ｃはフック取り付け穴１２Ｂより小径の円形状をしている。フック取り付け溝１２Ｃはフック取り付け穴１２Ｂに貫通されている。
【００１８】
ボルトフック部１３は、一端が湾曲したかぎ型であり、かつ、他端が棒状をしたフック部分１３Ａを備えている。フック部分１３Ａの棒状側の端部は、ねじ調整部１２のフック取り付け溝１２Ｃを通り、フック取り付け穴１２Ｂに達している。フック部分１３Ａの棒状の部分は、図８に示すように、ねじ調整部１２のフック取り付け溝１２Ｃ内を回転可能である。フック部分１３Ａの棒状の端部には、フック底板１３Ｂが取り付けられている。フック底板１３Ｂは、フック取り付け穴１２Ｂ内を回転可能である。こうした構造のボルトフック部１３は、ケーブル２Ｂのバンド１Ｂを固定するためのボルト１Ｂ１（図７）に引っ掛けられる。また、ねじ調整部１２を矢印Ｈ方向（図８）に正逆回転することにより、ボルトフック部１３から固定部１１までの間隔を伸縮することができる。つまり、上部支線共用金具１０は伸縮可能である。
【００１９】
つぎに、本実施形態による上部支線共用金具を用いた上部支線共用方法について説明する。図９に示すように、ケーブル２Ａが引き留められている電柱１に対して、新たにケーブル２Ｂを追加した場合、支線３を緊張させるターンバックル３Ｂが支線３の上部支線３Ａに取り付けられているとき、図１０(ａ）に示すように、追加されたケーブル２Ｂのバンド１Ｂに上部支線共用金具１０のフック部分１３Ａを取り付け、固定部１１を支線３の上部支線３Ａに取り付ける。固定部１１の取り付けの後、ねじ調整部１２を回して上部支線共用金具１０の長さを縮める。
【００２０】
この後、すでに取り付けられているターンバックル３Ｂを用いて、図１０（ｂ）に示すように、上部支線３Ａを締め直すことにより、荷重がきちんと分担された上部共用形態を作り出すことができる。また、上部支線３Ａを把持する固定部１１の押さえ曲板１１Ｅの形状に曲率半径をもたせることにより、上部支線３Ａへの局所的な荷重も分散することが可能となる。さらに、別のケーブルが追加された際にも、同様の上部支線共用金具１０を追加することにより、対応することが可能である。
【００２１】
［実施形態３］
本実施形態では、図１１に示すように、実施形態２のターンバックル３Ｂが無い場合について説明する。
【００２２】
本実施形態では、ターンバックルが支線３に取り付けられていないので、ターンバックルの代わりに、図１２に示す上部支線張力調整具を使用する。図１２の上部支線張力調整具は、図６の上部支線共用金具と同じものである。なお、図１２では、先に説明した図６と同一もしくは同一と見なされる構成要素には、それと同じ参照符号を付けて、その説明を省略している。図１２では、第１の固定手段が固定部１１であり、第２の固定手段がボルトフック部１３であり、調整手段がねじ調整部１２である。図１２の上部支線張力調整具をターンバックルとして用いる場合、たとえば、上部支線３Ａの環状部分３Ｂをボルトフック部１３につなぐと共に、固定台１１Ｂ、押さえねじ１１Ｃ、ナット１１Ｄ、および押さえ曲板１１Ｅによって、上部支線３Ａを固定部１１に固定する。
【００２３】
この後、実施形態２と同様に、追加されたケーブル２Ｂのバンド１Ｂに上部支線共用金具１０のフック部分１３Ａを取り付け、固定部１１を支線３の上部支線３Ａに取り付ける。固定部１１の取り付けの後、ねじ調整部１２を回して上部支線共用金具１０の長さを縮める。そして、上部支線共用金具のねじ調整部１２を回して、上部支線３Ａを締め直し、かつ、上部支線張力調整具のねじ調整部１２を回して、この上部支線張力調整具を縮めることにより、荷重がきちんと分担された上部共用形態を作り出すことができる。
【００２４】
ところで、上部支線張力調整具のねじ調整部１２を回して、上部支線３Ａを締め直す際に、固定部１１とボルトフック部１３との間の上部支線３Ａが長くなって大きくたわむことがある。この場合には、図１２の上部支線張力調整具の代わりに、図１３の上部支線張力調整具を用いる。なお、図１３では、先に説明した図６と同一もしくは同一と見なされる構成要素には、それと同じ参照符号を付けて、その説明を省略している。図１３の上部支線張力調整具は、図１２の上部支線張力調整具に対して、図１４に示すように、固定部１１と同じような固定部１１１を備えている。なお、図１４は図１３を矢印Ｊ方向から見た図である。
【００２５】
図１３の上部支線張力調整具は上部支線共用金具の固定部を並列に２つ有するものである。この上部支線張力調整具を用いた場合、固定部１１にて既存の上部支線３Ａを固定し、ねじ調整部１２にて上部支線３Ａに張力を掛ける。この後、図１５に示すように、上部支線３Ａを切断し、上部支線３Ａを固定部１１１に通して固定部１１１に固定する。これにより、上部支線３Ａが切り離されて支線ロッド３Ｄとなり、支線ロッド３Ｄと上部支線３Ａとの間の長さを、ねじ調整部１２により極めて容易に調整することができる。なお、図１５には、固定部１１、１１１にて既存の上部支線３Ａを固定した様子を示している。
【００２６】
以上、この発明の実施形態を詳述してきたが、具体的な構成はこの実施形態に限られるものではなく、この発明の要旨を逸脱しない範囲の設計の変更等があっても、この発明に含まれる。
【図面の簡単な説明】
【００２７】
【図１】本発明による上部支線共用方法を説明するための説明図である。
【図２】本発明による上部支線共用方法を説明するための説明図である。
【図３】本発明による上部支線共用方法を説明するための説明図である。
【図４】上部支線共用金具の追加方法を説明するための説明図である。
【図５】上部支線共用金具の追加方法を説明するための説明図である。
【図６】本発明による上部支線共用金具を示す正面図である。
【図７】上部支線共用金具の使用方法を説明するための説明図である。
【図８】図７のＩ−Ｉ断面を示す断面図である。
【図９】図６の上部支線共用金具を用いた上部支線共用方法を説明するための説明図である。
【図１０】図６の上部支線共用金具を用いた上部支線共用方法を説明するための説明図である。
【図１１】本発明による他の上部支線共用方法を説明するための説明図である。
【図１２】本発明による上部支線張力調整具と別の上部支線共用方法とを説明するための説明図である。
【図１３】本発明による上部支線張力調整具と別の上部支線共用方法とを説明するための説明図である。
【図１４】上部支線張力調整具の構造を説明する説明図である。
【図１５】上部支線張力調整具による上部支線の締め直しを説明する説明図である。
【図１６】支線を説明するための説明図である。
【図１７】ケーブル追加の際の、支線の共用形態を説明するための説明図である。
【図１８】ケーブル追加の際の、支線の共用形態を説明するための説明図である。
【図１９】図１８に示された形態の場合の、支線の張力調整方法を説明するための説明図である。
【符号の説明】
【００２８】
１  電柱
１Ａ、１Ｂ  バンド
２Ａ、２Ｂ  ケーブル
３  支線
３Ａ  上部支線
３Ｂ  ターンバックル
３Ｃ  環状部分
３Ｄ  支線ロッド
４  アンカー
１０  上部支線共用金具
１１  固定部
１１Ａ  台座部分
１１Ｂ  固定台
１１Ｃ  押さえねじ
１１Ｄ  ナット
１１Ｅ  押さえ曲板
１１Ｆ  ねじ
１２  ねじ調整部
１２Ａ  ねじ穴
１２Ｂ  フック取り付け穴
１２Ｃ  フック取り付け溝
１３  ボルトフック部
１３Ａ  フック部分
１３Ｂ  フック底板
【図１】
2005341687.tif 000003
【図２】
2005341687.tif 000004
【図３】
2005341687.tif 000005
【図４】
2005341687.tif 000006
【図５】
2005341687.tif 000007
【図６】
2005341687.tif 000008
【図７】
2005341687.tif 000009
【図８】
2005341687.tif 000010
【図９】
2005341687.tif 000011
【図１０】
2005341687.tif 000012
【図１１】
2005341687.tif 000013
【図１２】
2005341687.tif 000014
【図１３】
2005341687.tif 000015
【図１４】
2005341687.tif 000016
【図１５】
2005341687.tif 000017
【図１６】
2005341687.tif 000018
【図１７】
2005341687.tif 000019
【図１８】
2005341687.tif 000020
【図１９】
2005341687.tif 000021